(57)【要約】      （修正有）【課題】より使い勝手の良いごみ集積ネット巻取収納装置を提供する。【解決手段】ごみ集積ネット巻取収納装置は、ごみ袋を覆い被せるための一部が開放された中空の立体形状と、立体形状が平坦に折り畳まれてなる平面形状との状態を有するネット２と、平面形状の状態でネット２を巻き取って収納する巻き取り式の収納容器１と、ネット２の一縁と接続され、収納容器１内に収納されたネット２を収納容器１外へ引き出すための引出部とを備え、使用時において、ネットは収納容器外へ引き出されて、平面形状から立体形状に展開される。収納容器１は、ネット２を巻き取るための主軸３を備えており、また主軸３の両端部にはゼンマイバネ４が設けられ、その外側には爪歯車６が固定され、主軸３がブラケット７で固定された主軸受８で回転可能な状態で固定されている。【選択図】図２
0003213222.tif 000002
【実用新案登録請求の範囲】
【請求項１】
ごみ袋を覆い被せるための一部が開放された中空の立体形状と、前記立体形状が平坦に折り畳まれてなる平面形状との状態を有するネットと、
前記平面形状の状態で前記ネットを巻き取って収納する巻き取り式の収納容器と、
前記ネットの一縁と接続され、前記収納容器内に収納された前記ネットを前記収納容器外へ引き出すための引出部とを備え、
使用時において、前記ネットは前記収納容器外へ引き出されて、前記平面形状から前記立体形状に展開されること、
を特徴とするごみ集積ネット巻取収納装置。
【請求項２】
前記立体形状は、底面部が開放された中空の略直方体形状であり、
前記平面形状は、前記立体形状が所定の折り目に沿って折り重なることによって平坦に折り畳まれてなり、
使用時において、前記立体形状に展開された前記ネットは前記底面部からごみ袋を覆い被せて用いられること、
を特徴とする請求項１に記載のごみ集積ネット巻取収納装置。
【考案の詳細な説明】
【技術分野】
【０００１】
本考案は、ごみ集積ネット巻取収納装置に関する。
【背景技術】
【０００２】
従来より、家庭から出るごみをごみ集積所に置く場合、カラスなどの鳥類、犬や 猫などの動物にごみを荒らされないように、ごみ集積所に専用の集積箱を設置し、該箱内にごみ袋を集積することが行なわれている（特許文献１、２参照）。しかし、専用の集積箱の場合には、設置のための占有面積が大きくなってしまうため、設置スペースが取れない場所での設置は難しい。
【０００３】
そこで、これに関する技術として、例えば特許文献３には、ごみ収集場所のごみ袋を覆うほどの大きさの方形のネットの一縁に沿って棒状のネットの巻き取り装置を取り付け、反対側の縁に沿って、分割式の棒状の重りを付けたごみ散乱防止のための巻取り式ごみネットが記載されている。
【０００４】
また、特許文献４には、台座部、ボックス本体、ネット及びロープ部から構成され、必要に応じてネットをボックス本体に対して出入れ可能に構成されたごみステーション用ネット収納ボックスが記載されている。
【０００５】
上記特許文献３、４に記載される発明の場合、ごみ集積ネットをコンパクトに巻き取ることができるため、設置占有面積も小さくて済む。更にネットが路上に放置・散乱することがなく、ごみ集積所の美観が損なわれない。
【先行技術文献】
【特許文献】
【０００６】
【特許文献１】特開平１０−３３８３０
【特許文献２】特開２０１３−２４５１１２号公報
【特許文献３】特開２０１４−０９４８１９号公報
【特許文献４】特開２００３−０４８６０３号公報
【考案の概要】
【考案が解決しようとする課題】
【０００７】
しかしながら、特許文献３記載の発明は、構造上ネットの引き出し入れに手間がかかったり、引き出したネットが平坦のためごみ袋を包みにくいといった問題がある。
【０００８】
本考案は、上記の点に鑑み提案されたものであり、より使い勝手の良いごみ集積ネット巻取収納装置を提供することを目的とする。
【課題を解決するための手段】
【０００９】
上記の課題を解決するため、本考案に係るごみ集積ネット巻取収納装置は、ごみ袋を覆い被せるための一部が開放された中空の立体形状と、前記立体形状が平坦に折り畳まれてなる平面形状との状態を有するネットと、前記平面形状の状態で前記ネットを巻き取って収納する巻き取り式の収納容器と、前記ネットの一縁と接続され、前記収納容器内に収納された前記ネットを前記収納容器外へ引き出すための引出部とを備え、使用時において、前記ネットは前記収納容器外へ引き出されて、前記平面形状から前記立体形状に展開される。
【考案の効果】
【００１０】
本考案の実施の形態によれば、より使い勝手の良いごみ集積ネット巻取収納装置を提供することができる。
【図面の簡単な説明】
【００１１】
【図１】本実施形態に係るごみ集積ネット巻取収納装置の外観図を示す。
【図２】本実施形態に係るごみ集積ネット巻取収納装置の垂直断面図を示す。
【図３】本実施形態に係るごみ集積ネット巻取収納装置の垂平断面図（Ｘ−Ｙ）を示す。
【図４】本変形例に係るごみ集積ネット巻取収納装置の垂直断面図を示す。
【図５】本変形例に係るごみ集積ネット巻取収納装置の垂平断面図（Ｘ−Ｙ）を示す。
【図６】本実施形態に係るごみ集積ネットの形状の一例を示す。
【図７】本実施形態に係るごみ集積ネット巻取収納装置の使用態様１を示す。
【図８】本実施形態に係るごみ集積ネット巻取収納装置の使用態様２を示す。
【図９】本実施形態に係るごみ集積ネット巻取収納装置の使用態様３を示す。
【図１０】本実施形態に係るごみ集積ネット巻取収納装置の使用態様４を示す。
【考案を実施するための形態】
【００１２】
本考案の実施の形態について、図面を参照しつつ詳細に説明する。なお、複数図面に渡って同一符号を付したものが登場する場合、繰り返しとなる重複説明は適宜省略する。
【００１３】
[実施形態]
図１は、本実施形態に係るごみ集積ネット巻取収納装置の外観図を示す。図２は、本実施形態に係るごみ集積ネット巻取収納装置の垂直断面図を示す。図３は、本実施形態に係るごみ集積ネット巻取収納装置の垂平断面図（Ｘ−Ｙ）を示す。以下、本実施形態に係る自動巻き取り式のごみ集積ネット巻取収納装置１００について説明する。
【００１４】
本実施形態に係るごみ集積ネット巻取収納装置１００は、底部をごみ集積所の地面にアンカーボルト１８で固定され設置される。なお、直接地中に埋設することもできるし、ネット引出口１９を避けた側面部を塀等で固定することもできる。
【００１５】
縦型収納容器１は、ごみ集積ネット（以下単にネットという）２を巻き取るための主軸３を備えており、また主軸３の両端部にはゼンマイバネ４が設けられ、その外側には爪歯車６が固定され、主軸３がブラケット７で固定された主軸受８で回転可能な状態で固定されている。
【００１６】
ごみ集積ネット巻取収納装置１００の使用時、作業者２０はネット引出口１９からネット２の端部上下と結ばれた引き出し部材としてのロープ（紐）１５を引き出す（図７）。ロープ１５と共にネット２が引き出されるとゼンマイバネ４が巻かれて復元力が働くものの、爪９が爪歯車６と噛み合って爪歯車６が回転不可能に押さえられたロック状態となるため、主軸３が回転せず引き出されたネット２が元に巻き取られない。この状態下において、作業者２０はネット２をごみ袋２１に覆い被せることが可能である（図８、９）。
【００１７】
ごみ袋２１が回収された後、即ちごみ集積ネット巻取収納装置１００の不使用時、作業者２０が爪解除ツマミ１１を操作する（回す等）ことで、爪解除ツマミ１１と連動したカム１２がピン１０を押し爪歯車６が爪９からロック解除されて回転可能となる。ゼンマイバネ４の復元力で主軸３が回転しネット２が巻き取られ、縦型収納容器１内にネット２が収納される（図１０）。
【００１８】
なお、上述のロープ１５はネット引出口１９からネット２の端部上下と結ばれた引き出し部材として機能するものであるため、必ずしもロープそのものでなくとも、取っ手などの形状の部材でもよい。
【００１９】
（変形例）
上述の実施形態は自動巻き取り式であったが、本変形例では手動巻き取り式のごみ集積ネット巻取収納装置１０１について説明する。
【００２０】
図４は、本変形例に係るごみ集積ネット巻取収納装置の垂直断面図を示す。図５は、本変形例に係るごみ集積ネット巻取収納装置の垂平断面図（Ｘ−Ｙ）を示す。
【００２１】
本変形例に係るごみ集積ネット巻取収納装置１０１の縦型収納容器１は、ネット２を巻き取る主軸３を回転するためのハンドル１７を備える。
【００２２】
ごみ集積ネット巻取収納装置１０１の使用時、作業者２０はネット引出口１９からネット２の端部上下と結ばれたロープ１５を引き出す（図７）。ロープ１５と共にネット２も引き出され、この状態下において、作業者２０はネット２をごみ袋２１に覆い被せることが可能である（図８、９）。
【００２３】
ごみ袋２１が回収された後、即ちごみ集積ネット巻取収納装置１０１の不使用時、作業者２０がハンドル１７を操作する（回す）ことで、主軸３が回転しネット２が巻き取られ、縦型収納容器１内にネット２が収納される（図１０）。
【００２４】
[ごみ集積ネットの形状]
図６は、本実施形態に係るごみ集積ネットの形状の一例を示す。図６（Ａ）はネット２の上方斜視図、（Ｂ）は右側面図又は左側面図、（Ｃ）は平面図、（Ｄ）は正面図又は背面図を示す。
【００２５】
本実施形態に係るネット２は、ごみ袋を覆い被せるための底面部２ｂが開放された中空の立体形状と、立体形状が所定の折り目２ａに沿って折り重なることによって平坦（平ら）に折り畳まれてなる平面形状（シート形状）の状態となることができる。
【００２６】
即ち、ごみ集積ネット巻取収納装置１００の不使用時、ネット２は所定の折り目２ａに沿って折り重ねることによって平坦に折り畳まれた平面形状の状態となって、縦型収納容器１内に巻き取られて収納される（図１０）。
【００２７】
一方、ごみ集積ネット巻取収納装置１００の使用時、上述したようにネット２が縦型収納容器１外に引き出されると、ネット２は平面形状の状態から立体形状の状態に展開される（図７）。ネット２はごみ袋を覆い被せるための底面部２ｂが開放された中空の立体形状であるので、作業者２０は立体形状に展開されたネット２を底面部２ｂからごみ袋２１を丸ごとすっぽりと容易に覆い被せることが可能である（図８、９）。
【００２８】
なお、ごみ集積ネット巻取収納装置１００の使用時において、ネット２の立体形状は、ごみ袋を覆い被せるための一部が開放された中空の立体形状であればよく、例えば、直方体、立方体、円柱体（筒型）、円錐体、箱型、舟型なども含む。また、ネット２を底面部２ｂからごみ袋２１を上から覆い被せることが可能な、いわゆる蚊帳（かや）の形状でもよい。この場合、所定の折り目２ａの位置や形はネット２の立体形状に応じて異なることは言うまでもない。
【００２９】
また、所定の折り目２ａはネット２を容易に平坦に折り畳むことができるため、設けられることが望ましい。但し、予め所定の折り目２ａを有していなくとも、ネット２が縦型収納容器１内に巻き取られて収納可能な程度に平面形状となればよい。
【００３０】
ごみの散乱を防止して集積するためのネット２の素材は、例えばポリエチレンやナイロンを用いることができる。折り目２ａを維持しより折り畳み易くするため、形状記憶素材であれば尚良い。また、ネット２の色はカラス等の外敵から中身が見えないように濃色にして、網目は細か目にしてごみを引っ張り出しにくいようにする。
【００３１】
以上、本実施形態に係るごみ集積ネット巻取収納装置１００又は１０１によれば、平面形状に折り畳まれたごみ集積ネットを収納容器内の主軸に巻かれて収納された状態で収納し、ごみ回収日にはネットの端部につながっているロープを引っ張ってネットを引き出せば、ごみ集積ネットが自然と立体形状に展開し、そのままごみ袋を隙間無く容易に覆い被せることができる。
【００３２】
ごみ袋の回収後は、収納容器上部にある爪解除ツマミをロック解除することで、ネットが平面形状に折り畳まれつつ収納容器内に送り込むよう巻き取られて収納される。これにより不使用時におけるネットの収納を容易に行うことが可能である。また、ネットが収納容器内に収納されるため、景観の向上、衛生面の向上、及び設置にかかる占有面積が小さくなるなどの効果を奏する。 
【００３３】
即ち、本実施形態に係るごみ集積ネット巻取収納装置によれば、より使い勝手の良いごみ集積ネット巻取収納装置を提供することが可能である。
【００３４】
なお、本考案の好適な実施の形態により、特定の具体例を示して本考案を説明したが、特許請求の範囲に定義された本考案の広範な趣旨および範囲から逸脱することなく、これら具体例に様々な修正および変更を加えることができることは明らかである。すなわち、具体例の詳細および添付の図面により本考案が限定されるものと解釈してはならない。
【００３５】
例えば、上述のごみ集積ネット巻取収納装置１００は縦型自立式であったが、これを横型とし、壁、ガードレール、植え込み等に固定し設置することも可能である。
【符号の説明】
【００３６】
１      縦型収納容器
２      ごみ集積ネット
３      主軸
４      ゼンマイバネ
５      上蓋
６      爪歯車
７      ブラケット
８      主軸受
９      爪
１０    ピン
１１    爪解除ツマミ 
１２    カム
１３    カム軸受 
１４    カム軸
１５    ロープ
１６    圧縮バネ
１７    ハンドル
１８    アンカーボルト
１９    ネット引出口
２０    作業者
２１    ごみ袋
１００  ごみ集積ネット巻取収納装置
１０１  ごみ集積ネット巻取収納装置
【図１】
0003213222.tif 000003
【図２】
0003213222.tif 000004
【図３】
0003213222.tif 000005
【図４】
0003213222.tif 000006
【図５】
0003213222.tif 000007
【図６】
0003213222.tif 000008
【図７】
0003213222.tif 000009
【図８】
0003213222.tif 000010
【図９】
0003213222.tif 000011
【図１０】
0003213222.tif 000012